(57)【特許請求の範囲】
【請求項１】
光軸と平行な少なくとも一面を開口部とされ、前記光軸に略直交し該光軸方向に互いに離隔して設けられた第１の壁部と第２の壁部とを有する主鏡筒と、
前記第１の壁部及び第２の壁部のそれぞれに前記光軸と平行に対向して設けられた第１の孔及び第２の孔と、
前記第１の孔及び第２の孔で両端が支持されて前記主鏡筒の内部に前記光軸に平行に配設されたガイド軸と、
移動レンズを保持する枠と前記ガイド軸が挿通された挿通部とを有し、前記第１及び第２の壁部の間で前記ガイド軸上を前記光軸方向に移動可能とされた移動レンズ保持枠と、
前記開口部を覆うように前記主鏡筒に固定された副鏡筒と、を備え、
前記第２の孔は、前記ガイド軸をその周方向における互いに離隔した位置で支持する少なくとも３つの軸支持部と、各軸支持部の間において前記ガイド軸に対して隙間を形成する隙間部と、を有すると共に、前記ガイド軸には、少なくとも前記隙間部に対応する周方向位置に潤滑剤が付着しており、
前記第２の孔が設けられた前記第２の壁部の外面における前記第２の孔の近傍が凹部とされ、該凹部は、前記副鏡筒，前記第２の壁部の外面に配置されたＣＣＤ又は該ＣＣＤを装着したＣＣＤ基板のいずれかにより塞がれて成るレンズ鏡筒。
【請求項２】
光軸と平行な少なくとも一面を開口部とされ、前記光軸に略直交し該光軸方向に互いに離隔して設けられた第１の壁部と第２の壁部とを有する主鏡筒と、
前記第１の壁部及び第２の壁部のそれぞれに前記光軸と平行に対向して設けられた第１の孔及び第２の孔と、
前記第１の孔及び第２の孔で両端が支持されて前記主鏡筒の内部に前記光軸に平行に配設したガイド軸と、
移動レンズを保持する枠と前記ガイド軸が挿通された挿通部とを有し、前記第１及び第２の壁部の間で前記ガイド軸上を前記光軸方向に移動可能とされた移動レンズ保持枠と、を備え、
前記第２の孔は、前記ガイド軸をその周方向における互いに離隔した位置で支持する少なくとも３つの軸支持部と、各軸支持部の間において前記ガイド軸に対して隙間を形成する隙間部と、を有すると共に、前記ガイド軸における少なくとも前記第２の孔と前記挿通部の間の前記隙間部に対応する周方向範囲に潤滑剤が付着しており、
前記挿通部は、前記ガイド軸によってその周方向における前記隙間部に対応する範囲内のみで支持される構成のレンズ鏡筒。
【請求項３】
固定レンズを保持する枠と前記ガイド軸が挿通された挿通部とを有し、前記移動レンズ保持枠と、前記第１の壁部又は前記第２の壁部と、の間で前記ガイド軸によって非移動に支持された固定レンズ保持枠と、をさらに備え、
前記固定レンズ保持枠の挿通部は、前記ガイド軸によってその周方向における前記第２の孔の前記軸支持部に対応する位置で支持されて成ることを特徴とする請求項２記載のレンズ鏡筒。
【請求項４】
光軸と略直交し該光軸方向に互いに離隔して設けられた第１の壁部と第２の壁部とを有する鏡筒と、
前記第１の壁部及び第２の壁部のそれぞれに、前記光軸と平行に対向して設けられた第１の孔及び第２の孔と、
前記第１の孔及び第２の孔で両端が支持されて前記主鏡筒の内部に前記光軸と平行に配設されると共に潤滑剤が付着してなるガイド軸と、
レンズを保持する枠と前記ガイド軸が挿通された挿通部とを有し、前記第１及び第２の壁部の間で前記ガイド軸上を前記光軸方向に移動可能とされた移動レンズ保持枠と、を備えたレンズ鏡筒を製造するレンズ鏡筒の製造方法において、
前記ガイド軸には予め前記潤滑剤が塗布されており、
前記第２の孔は、前記ガイド軸をその周方向における互いに離隔した位置で支持する少なくとも３つの支持部と、各支持部の間において前記ガイド軸に対して隙間を形成する隙間部と、を有するよう形成されており、
前記挿通部は、前記ガイド軸によってその周方向における前記隙間部に対応する位置のみで支持されるよう形成されており、
前記ガイド軸を、前記第２の壁部に設けられた前記第２の孔に前記第１の壁部の反対側から挿入するステップと、
前記第２の孔に挿入された前記ガイド軸を前記レンズ保持枠の前記挿通部に挿通するステップと、
前記挿通部に挿通された前記ガイド軸を前記第１の孔に挿入するステップと、を有することを特徴とするレンズ鏡筒の製造方法。
【発明の詳細な説明】
【０００１】
【発明の属する技術分野】
本発明は、ガイド軸で移動レンズ枠を支持するレンズ鏡筒及びレンズ鏡筒の製造方法に係り、特にガイド軸の支持構造に関する。
【０００２】
【従来の技術】
ビデオカメラやデジタルスチルカメラに搭載するズームレンズ等のレンズ鏡筒においては、そのレンズ鏡筒内に光軸と平行な複数本のガイド軸を配設し、そのガイド軸に沿って移動レンズを装着したレンズ保持枠を前後に移動することで変倍や合焦を行っている。
このガイド軸のレンズ鏡筒への配設構造については、ガイド軸の両端を精度よく支持する支持孔をレンズ鏡筒に一体的に形成し、レンズ鏡筒の前方又は後方からガイド軸を支持孔に挿入し、レンズ保持枠の孔に挿通して他方の支持孔に挿通して支持させ、ガイド軸の一方の端部をＥリングやネジ等の止め具で固定するという構造が、特開２０００―２７５４９４公報に開示されている。
【０００３】
【発明が解決しようとする課題】
しかしながら、この構造においては、ガイド軸の固定に止め具が必要であり、取り付けの作業工数や部品数が増えるという問題があった。
また、Ｅリングを用いた場合には、ガイド軸に溝を設ける加工が必要であり、ねじを用いた場合にはねじ切り加工が必要で、コストアップになるという問題があった。
【０００４】
一方、レンズ保持枠をガイド軸に沿って円滑に移動させるためガイド軸に潤滑剤を塗布する必要があるが、主鏡筒にガイド軸を組み込んだ後に塗布すると、作業工数が増え、また、作業が難しく塗布位置を間違えて不良としてしまったり、塗布量のばらつきが発生してレンズ保持枠の移動がスムーズに行えない等レンズ鏡筒の品質を低下させるという問題があった。
【０００５】
そこで、ガイド軸にあらかじめ潤滑剤を塗布しておき、主鏡筒に挿入する方法も行われている。
ところが、ガイド軸と支持孔との嵌合は、ガイド軸を精度良く位置決めするために、隙間がゼロかあるいは極めて小さく設定されており、そのため、ガイド軸を最初の支持孔に挿通する時に、潤滑剤のほとんどがその支持孔で削がれてしまい、レンズ支持枠の移動に供する潤滑剤の量が不十分となり移動に支障がでるという問題があった。
また、削がれた潤滑剤は主鏡筒の外面に溜まってしまうので作業者が誤って手で触れる場合があり、この潤滑剤が付着した手が他の部品に触れてその部品を不良にしてしまうという問題があった。
【０００６】
そこで本発明が解決しようとする課題は、作業工数や部品数を増やさず、またコストアップにならずにガイド軸を主鏡筒に配設でき、適切な量の潤滑剤をレンズ保持枠の移動に供することが可能で、作業者が潤滑剤に触れてしまうことのないレンズ鏡筒及びレンズ鏡筒の製造方法を提供することにある。
【０００７】
【課題を解決するための手段】
上記の課題を解決するために、本願発明は手段として次の１）〜３）の構成を有する。
１）  光軸と平行な少なくとも一面を開口部とされ、前記光軸に略直交し該光軸方向に互いに離隔して設けられた第１の壁部と第２の壁部とを有する主鏡筒と、
前記第１の壁部及び第２の壁部のそれぞれに前記光軸と平行に対向して設けられた第１の孔及び第２の孔と、
前記第１の孔及び第２の孔で両端が支持されて前記主鏡筒の内部に前記光軸に平行に配設されたガイド軸と、
移動レンズを保持する枠と前記ガイド軸が挿通された挿通部とを有し、前記第１及び第２の壁部の間で前記ガイド軸上を前記光軸方向に移動可能とされた移動レンズ保持枠と、
前記開口部を覆うように前記主鏡筒に固定された副鏡筒と、を備え、
前記第２の孔は、前記ガイド軸をその周方向における互いに離隔した位置で支持する少なくとも３つの軸支持部と、各軸支持部の間において前記ガイド軸に対して隙間を形成する隙間部と、を有すると共に、前記ガイド軸には、少なくとも前記隙間部に対応する周方向位置に潤滑剤が付着しており、
前記第２の孔が設けられた前記第２の壁部の外面における前記第２の孔の近傍が凹部とされ、該凹部は、前記副鏡筒，前記第２の壁部の外面に配置されたＣＣＤ又は該ＣＣＤを装着したＣＣＤ基板のいずれかにより塞がれて成るレンズ鏡筒である。
【０００８】
２）光軸と平行な少なくとも一面を開口部とされ、前記光軸に略直交し該光軸方向に互いに離隔して設けられた第１の壁部と第２の壁部とを有する主鏡筒と、
前記第１の壁部及び第２の壁部のそれぞれに前記光軸と平行に対向して設けられた第１の孔及び第２の孔と、
前記第１の孔及び第２の孔で両端が支持されて前記主鏡筒の内部に前記光軸に平行に配設したガイド軸と、
移動レンズを保持する枠と前記ガイド軸が挿通された挿通部とを有し、前記第１及び第２の壁部の間で前記ガイド軸上を前記光軸方向に移動可能とされた移動レンズ保持枠と、を備え、
前記第２の孔は、前記ガイド軸をその周方向における互いに離隔した位置で支持する少なくとも３つの軸支持部と、各軸支持部の間において前記ガイド軸に対して隙間を形成する隙間部と、を有すると共に、前記ガイド軸における少なくとも前記第２の孔と前記挿通部の間の前記隙間部に対応する周方向範囲に潤滑剤が付着しており、
前記挿通部は、前記ガイド軸によってその周方向における前記隙間部に対応する範囲内のみで支持される構成のレンズ鏡筒である。
【０００９】
３）固定レンズを保持する枠と前記ガイド軸が挿通された挿通部とを有し、前記移動レンズ保持枠と、前記第１の壁部又は前記第２の壁部と、の間で前記ガイド軸によって非移動に支持された固定レンズ保持枠と、をさらに備え、
前記固定レンズ保持枠の挿通部は、前記ガイド軸によってその周方向における前記第２の孔の前記軸支持部に対応する位置で支持されて成ることを特徴とする請求項２記載のレンズ鏡筒である。
【００１０】
また、本願発明は手段として次の４）の手順を有する。
４）光軸と略直交し該光軸方向に互いに離隔して設けられたた第１の壁部と第２の壁部とを有する鏡筒と、
前記第１の壁部及び第２の壁部のそれぞれに、前記光軸と平行に対向して設けられた第１の孔及び第２の孔と、
前記第１の孔及び第２の孔で両端が支持されて前記主鏡筒の内部に前記光軸と平行に配設されると共に潤滑剤が付着してなるガイド軸と、
レンズを保持する枠と前記ガイド軸が挿通された挿通部とを有し、前記第１及び第２の壁部の間で前記ガイド軸上を前記光軸方向に移動可能とされた移動レンズ保持枠と、を備えたレンズ鏡筒を製造するレンズ鏡筒の製造方法において、
前記ガイド軸には予め前記潤滑剤が塗布されており、
前記第２の孔は、前記ガイド軸をその周方向における互いに離隔した位置で支持する少なくとも３つの支持部と、各支持部の間において前記ガイド軸に対して隙間を形成する隙間部と、を有するよう形成されており、
前記挿通部は、前記ガイド軸によってその周方向における前記隙間部に対応する位置のみで支持されるよう形成されており、
前記ガイド軸を、前記第２の壁部に設けられた前記第２の孔に前記第１の壁部の反対側から挿入するステップと、
前記第２の孔に挿入された前記ガイド軸を前記レンズ保持枠の前記挿通部に挿通するステップと、
前記挿通部に挿通された前記ガイド軸を前記第１の孔に挿入するステップと、を有することを特徴とするレンズ鏡筒の製造方法である。
【００１１】
【発明の実施の形態】
本発明の実施の形態を、好ましい実施例により図１乃至図８を用いて説明する。
図１は、本発明のレンズ鏡筒の実施例を示す組み立て図である。
図２は、本発明のレンズ鏡筒の実施例における組み立て方法を説明する図である。
図３は、本発明のレンズ鏡筒の実施例を示す別の組み立て図である。
図４は、本発明のレンズ鏡筒の実施例を示す部分斜視図である。
図５は、本発明のレンズ鏡筒の実施例における要部を示す平面図である。
図６は、本発明のレンズ鏡筒の別の実施例における要部を示す平面図である。
図７は、本発明のレンズ鏡筒の別の実施例を説明する平面図である。
図８は、本発明のレンズ鏡筒のさらに別の実施例を説明する平面図である。
【００１２】
まず、図１により説明する。
本実施例のズームレンズ鏡筒（以下鏡筒）は、略箱形状で一面を広く開口した主鏡筒１と、その開口部１ｃを塞ぐように主鏡筒１に取り付けられる副鏡筒２から構成される。
主鏡筒１内には光学系が収納されている。この光学系は、被写体側から順に第１の固定レンズ群３，変倍とするために光軸に沿って移動する第１の移動レンズ群４，第２の固定レンズ群５，合焦するために光軸に沿って移動する第２の移動レンズ群６の計４群のズームレンズとなっている。以下、レンズ群を含めてレンズと称する。
【００１３】
主鏡筒１は、熱可塑性樹脂を射出成形することで形成される。
光軸に直交して形成された被写体側壁部１ａには、第１の固定レンズ３を保持する第１の固定レンズ保持部３０と、通常ステンレス鋼からなる断面が円形の第１，第２のガイド軸７Ａ，７Ｂの一端をそれぞれ保持する第１，第２のガイド軸保持孔８Ａａ，８Ｂａが、レンズ保持部３０の外側にこれを概ね挟むように設けられている。
【００１４】
第1，第２のガイド軸７Ａ，７Ｂの、第１，第２の保持孔８Ａａ，８Ｂａに保持される側端部には、段部７Ａ１，７Ｂ１が形成されている。
一方、被写体と反対側の、被写体側壁部１ａと対向するＣＣＤ側壁部１ｂには、第１，第２のガイド軸７Ａ，７Ｂが光軸と平行に配設されるように、その第１，第２のガイド軸の他端をそれぞれ支持する第１，第２のガイド支持孔８Ａｂ，８Ｂｂと、ＣＣＤ９あるいはそれを装着したＣＣＤ基板１０を取り付けるＣＣＤ取り付け部１ｄ（図４（ａ）参照）が設けられている。
第１，第２のガイド軸支持孔８Ａｂは、後述するように略正方形に形成される。
【００１５】
第１の移動レンズ４は第１の移動レンズ保持枠４０に保持される。
この保持枠４０は、光軸と略直交する方向に延在した腕部４０Ａ，４０Ｂを有し、一方の腕部４０Ｂの先端部には、光軸に対して平行にＣＣＤ取り付け方向に向かってスリーブ４０Ｂ１が連接して形成される。
腕部４０Ａには、第１のガイド軸７Ａが挿通する、水平方向に長く開口した長孔４０Ａａが設けられ挿通部とされており、スリーブ４０Ｂ１の光軸方向両端面には、第２のガイド軸７Ｂが挿通する挿通孔４０Ｂａが挿通部として設けられている。
【００１６】
第２の固定レンズ５は第２の固定レンズ保持枠５０に保持される。
この保持枠５０は、光軸と略直交する方向に延在した腕部５０Ａ，５０Ｂを有し、一方の腕部５０Ａには、第１のガイド軸７Ａが挿通する水平方向に長く開口した長孔５０Ａａが設けられ挿通部とされており、他方の腕部５０Ｂには、第２のガイド軸７Ｂが挿通する挿通孔５０Ｂａが挿通部として設けられている。
【００１７】
第２の移動レンズ６は第２の移動レンズ保持枠６０に保持されている。
この保持枠６０は、光軸と略直交する方向に延在した腕部６０Ａ，６０Ｂを有し、一方の腕部６０Ａの先端部には、光軸に対して平行に被写体方向に向かってスリーブ６０Ａ１が連接して形成される。
このスリーブ６０Ａ１の光軸方向両端面には、第１のガイド軸７Ａが挿通する挿通孔６０Ａａが挿通部として設けられ、他方の腕部６０Ｂには、第２のガイド軸７Ｂが挿通する水平方向に長く開口した長孔６０Ｂａが設けられ挿通部として設けられている。
【００１８】
主鏡筒１に設けられた第１の保持孔８Ａａ及び第１の支持孔８Ａｂ並びに保持枠４０の長孔４０Ａａ，保持枠５０の長孔５０Ａａ及び保持枠６０の挿通孔６０Ａａは、各レンズの光軸を一致させた時に第１のガイド軸７Ａにて挿通できる位置に設けられている。
【００１９】
同様に、第２の保持孔８Ｂａ及び第２の支持孔８Ｂｂ並びに保持枠４０の挿通孔４０Ｂａ，保持枠５０の挿通孔５０Ｂａ及び保持枠６０の長孔６０Ｂａは、各レンズの光軸を一致させた時に第２のガイド軸７Ｂにて挿通できる位置に設けられる。
【００２０】
次に、レンズ鏡筒，第１，第２のガイド軸及び各保持枠の組み立てについて図２（ａ）〜図２（ｃ）を用いて説明する。
図２（ａ）は、置き台となる治具４１への各部品の配置を示し、図２（ｂ）は、第１，第２のガイド軸７Ａ，７Ｂの挿通前の状態を示し、図２（ｃ）は、第１，第２のガイド軸７Ａ，７Ｂの挿通後の組み立てが完了した状態を示している。
【００２１】
置き台となる治具４１には、主鏡筒１，第１の移動レンズ保持枠４０，第２の固定レンズ保持枠５０，第２の移動レンズ保持枠６０及び第１，第２のガイド軸７Ａ，７Ｂを、光軸方向の所定の位置に光軸を一致させて収納配置できるように、あらかじめ収納部４１ａ〜４１ｅ及びガイド軸収納部４１ｆ，４１ｇが凹部として形成されている（４１ｇは４１ｆと同様に図の反対側に設けてある）。
また、ガイド軸ローダ４２は、治具４１上を光軸方向にスライドして第１，第２のガイド軸７Ａ，７Ｂを主鏡筒１の方向に押し込めることができるように構成されている。
【００２２】
まず、保持枠４０，５０，６０を収納部４１ｂ，４１ｃ，４１ｄにそれぞれ配置した後、主鏡筒１を収納部４１ａ，４１ｅに上から被せるように配置する。
この時、第２の固定レンズ保持枠５０は、主鏡筒１の内面に設けた図示しない係合部と係合して主鏡筒１に保持される。
【００２３】
次に、第１，第２のガイド軸７Ａ，７Ｂをガイド軸収納部４１ｆ，４１ｇに配置する。この状態を図２（ｂ）に示す。
このガイド軸収納部４１ｆ，４１ｇは、そこに配置した第１，第２のガイド軸７Ａ，７Ｂの中心が、挿通する各挿通の中心と概ね一致するように形成されている。
【００２４】
そして、ガイド軸ローダ４２を、光軸方向にスライドさせて第１，第２のガイド軸７Ａ，７Ｂを主鏡筒１に押し込む。
第１，第２のガイド軸７Ａ，７Ｂは、主鏡筒１の第１，第２の支持孔８Ａｂ，８Ｂｂ，第２の移動レンズ保持枠６０の挿通孔６０Ａａ及び長孔６０Ｂａ，第２の固定レンズ保持枠の長孔５０Ａａ及び挿通孔５０Ｂａ並びに第１の移動レンズ保持枠の長孔４０Ａａ及び挿通孔４０Ｂａを挿通して主鏡筒１の第１，第２の保持孔８Ａａ，８Ｂａに挿入される。この状態を図２（ｃ）に示す。
【００２５】
最後に、ガイド軸ローダ４２を初期の位置に戻し、各保持枠とガイド軸とを組み付けた主鏡筒１を治具４１から外して組み立ては終了する。
この組み立てにより、第１，第２の移動レンズ保持枠４０，６０は第１，第２のガイド軸７Ａ，７Ｂによって光軸方向に摺動自在に支持される。
【００２６】
図１にもどり、次に、主鏡筒１の開口部１ｃを塞ぐように副鏡筒２を被せ、ねじ（図示せず）で固定する。
そして副鏡筒２には、第１の移動レンズ保持枠４０を駆動するモータ１２Ａ，第２の移動レンズ保持枠６０を駆動するモータ１２Ｂ及び結像の明るさを調節する絞り装置１３をねじ（図示せず）で取り付ける。
また、ＣＣＤ９を取り付けたＣＣＤ基板１０を主鏡筒１のＣＣＤ取り付け部１ｄに装着する。
【００２７】
次に、この構成における、（１）ガイド軸と各孔とのはめあい，（２）支持孔形状及び（３）潤滑剤溜まりとガイド軸の抜け止めについて順次詳述する。
（１）ガイド軸と各孔とのはめあいについて
まず、第１，第２のガイド軸７Ａ，７Ｂと、それを挿通する各孔とのはめあいについて詳述する。
第１，第２ガイド軸７Ａ，７Ｂと第１，第２の保持孔８Ａａ，８Ｂａとは、しめしろのある中間ばめ又はしまりばめ、すなわち圧入とし、その他の孔とは、しめしろのない中間ばめ又はすみまばめにされる。
このすきまばめの隙間は、無いかあるいはできる限り少ない方が所定の光学性能を得る為に望ましい。
この構成にすることで、ガイド軸が最後に挿入される第１，第２の保持孔８Ａａ，８Ｂａへの挿入以外、挿入力をほとんど付加せずに挿入が可能となるので、作業が極めて容易になる
【００２８】
また、挿通する孔への不要な応力負荷が無いので、各レンズ枠の変形を防止することができ、光学性能を劣化させることがない。
さらに、温度変化による熱膨張や熱収縮が発生しても、しめしろがないので、ＣＣＤ側壁部１ｂ及び移動レンズ枠４０，６０は、ガイド軸７Ａ，７Ｂに対して光軸方向に伸縮できるので応力が発生しない。
そして、第１，第２の保持孔８Ａａ，８Ｂａは被写体側壁部１ａに設けてあるので、その反対側から圧入力を容易に受けることが可能で作業効率が向上するとともに、ばらつきが少なく安定した圧入作業を行うことができる。
【００２９】
主鏡筒１の第１，第２の保持孔８Ａａ，８Ｂａのしめしろは、第１，第２のガイド軸７Ａ，７Ｂが少なくとも脱落しない程度に保持すべく設定される。
このしめしろが大き過ぎると、圧入力が過大となって保持孔８Ａａ，８Ｂａの周辺が変形してレンズの光学性能を劣化させたり、圧入作業が困難になるので好ましくない。
【００３０】
本実施例では、第１，第２のガイド軸７Ａ，７ＢをＣＣＤ側壁部１ｂ側から挿入したが、反対側の被写体側壁部１ａ側から挿入する構成にしてもよい。
その場合は、ＣＣＤ側壁部１ｂの孔を保持孔としてしめしろのあるはめあいとし、被写体側壁部１ａの孔を支持孔としてしめしろのないはめあいとする。
【００３１】
（２）支持孔形状について
次に、第１，第２のガイド軸７Ａ，７Ｂに塗布する潤滑剤１４と主鏡筒１の第１，第２の支持孔８Ａｂ，８Ｂｂの形状について詳述する。
各移動レンズ保持枠４０，６０が第１，第２のガイド軸７Ａ，７Ｂ上を滑らかに移動できるように、第１，第２のガイド軸７Ａ，７Ｂの表面にはグリス等の潤滑剤１４が塗布される。
【００３２】
この潤滑剤１４のガイド軸７Ａ，７Ｂへの付着量が少ないと、レンズ保持枠４０，６０の動きが滑らかにならず、また、多いと、潤滑剤１４の粘性によりレンズ保持枠４０，６０を移動させる駆動負荷が増していずれも動作不良となるので、所定の部分に適切な量の潤滑剤１４を付着させることは重要である。
【００３３】
そのため、第１，第２のガイド軸７Ａ，７Ｂへの潤滑剤１４の塗布は、あらかじめ容器に入れた潤滑剤１４の中に第１，第２のガイド軸７Ａ，７Ｂを例えば１００本まとめて浸して撹拌することで行う。これにより潤滑剤１４は安定して適量がガイド軸７Ａ，７Ｂに塗布される。
このようにして潤滑剤１４を塗布された第１，第２のガイド軸７Ａ，７Ｂを最初に挿通する第１，第２の支持孔８Ａｂ，８Ｂｂは、略正方形であって水平及び垂直方向に各辺を配する向きに形成される。
従って、断面が円形の第１，第２のガイド軸７Ａ，７Ｂを水平及び垂直方向で支持する（図５（ａ）参照）。
【００３４】
この場合、第１，第２の支持孔８Ａｂ，８Ｂｂと第１，第２のガイド軸７Ａ，７Ｂとには、斜め方向に隙間１５ａ〜１５ｄ（斜線部）があり、第１，第２の支持孔８Ａｂ，８Ｂｂを挿通する際に、第１，第２のガイド軸７Ａ，７Ｂに付着した潤滑剤１４の大部分はこの隙間１５ａ〜１５ｄを通過してレンズ保持枠４０，６０に到達して潤滑作用を発揮することができる。
このように、第１，第２のガイド軸７Ａ，７Ｂの位置規制をしつつ隙間が設けられていればよいので、第１，第２の支持孔８Ａｂ，８Ｂｂの形状は略正方形に限るものではなく、孔の他の部分よりも孔の中心に接近して少なくとも３つの支持部を有する孔であればよい。
例えば、略おむすび状であってもよく（図５（ｂ）参照）、図５（ｃ）に示すような略５角形であってもよく、それ以上の略多角形であってもよい。
また、支持部が直線で形成されていなくてもよい（図５（ｄ）参照）。
図５（ｂ），図５（ｃ），図５（ｄ）共、隙間を斜線部として示している。
【００３５】
また、図６に示すように、第１の支持孔８Ａｂの形状を、各レンズ保持枠４０，５０，６０の長孔４０Ａａ，５０Ａａ，６０Ａａが第１，第２のガイド軸７Ａを支持する支持点４０ｃ，５０ｃ，６０ｃに対応する位置を隙間１５ｅ，１５ｆとするように形成すれば、更に多くの潤滑剤１４が各支持点に到達してより効果的に潤滑作用を得ることができるので最も好ましい。
図６においては、便宜的に、６０Ａａを長孔、６０Ｂａを挿通孔として示しているが、第１，第２のガイド軸に挿通する挿通部は長孔でも挿通孔でもよく、限定されるものではない。以下の説明においては、６０Ａａを長孔、６０Ｂａを挿通孔として説明する。
【００３６】
一方、レンズ保持枠の挿通孔４０Ｂ１ａ，５０Ｂａ，６０Ｂａを丸孔ではなく、前述のように略正方形，略おむすび状，略５角形又はそれ以上の多角形に形成するのが好ましい。
そして、第２の支持孔８Ｂｂの形状を、移動するレンズ枠の挿通孔４０Ｂａ，６０Ｂａが第２のガイド軸７Ｂを支持する支持点４０Ｂｃ，６０Ｂｃを、第２のガイド軸７Ｂの円周方向に互いにずれた位置になるように設定することで、それぞれの支持点に、挿通孔で削がれることなく潤滑剤を供給することが可能となる。
図７にその一例を示す。この例は、各挿通孔を略正方形にしたものである。
【００３７】
固定レンズの保持枠５０の挿通孔５０Ｂａは、移動については潤滑剤が不要であり、先にガイド軸７Ｂが挿通される支持孔６０Ｂａ又は挿通孔８Ｂｂと同形状で同じ傾きに形成されていれば潤滑剤を新たに削ぐことがないので好ましい。
【００３８】
（３）潤滑剤溜まりとガイド軸の抜け止めについて
最後に、潤滑剤溜まりとガイド軸の抜け止めについて図４を用いて説明する。
まず潤滑剤溜まりについて説明する。
ＣＣＤ側壁部１ｂの外面の、第１，第２の支持孔８Ａｂ，８Ｂｂの近傍に潤滑剤溜まりとして円形の凹部１１を設けている（図４（ａ）参照）。
これにより、第１，第２のガイド軸７Ａ，７Ｂが第１，第２の支持孔８Ａｂ，８Ｂｂに挿通する際に削がれた潤滑剤１４がこの凹部に溜まるので（図４（ｂ）参照）、作業者が誤って潤滑剤１４に触れる可能性が少なくなり、潤滑剤１４の付着した手等が部品等に触れて不良になるのを防ぐことができる。
【００３９】
潤滑剤溜まりの凹部１１は、ＣＣＤ側壁部１ｂに外側から取り付けるＣＣＤ基板１０によって塞がれる（図４（ｃ）参照）。
これにより、作業者が潤滑剤１４に触れることが全く無くなり、前述の潤滑剤１４の付着による不良を更に効果的に防ぐことができる。
また、外部からの衝撃や振動によって、第１，第２の保持孔８Ａａ，８Ｂａの圧入が緩んでも、このＣＣＤ基板１０が抜け止めとなるので第１，第２のガイド軸７Ａ，７Ｂが脱落してしまうことがなく信頼性に優れる。ＣＣＤの形状によっては、ＣＣＤ本体で凹部１１を塞いでもよい。
潤滑剤溜まりの凹部１１は、ＣＣＤ基板１０ではなく、図４（ｄ）に示すように副鏡筒２の一部を延長して凹部を塞ぐ形態にしてもよく、同様の効果を得ることができる。
【００４０】
さらに、副鏡筒２を第１，第２の保持孔８Ａａ，８Ｂａの外側を塞ぐ形状にすれば、第１，第２のガイド軸７Ａ，７Ｂの光軸両方向の抜け防止ができるので、段部７Ａ１，７Ｂ１が不要になって部品コストが下がり、好ましい形態である。各レンズ保持枠４０，５０，６０の腕部に設けた挿通部の長孔は、図８に示すようなＵ字切り欠き形状でもよい。
本発明の実施例は、上述した構成に限定されるものではなく、本発明の要旨を逸脱しない範囲において変更が可能である。
【００４１】
【発明の効果】
以上詳述したように、本願発明によれば、作業工数や部品数を増やさず、またコストアップにならずにガイド軸を主鏡筒に配設でき、適切な量の潤滑剤をレンズ保持枠の移動に供することが可能で、作業者が潤滑剤に触れてしまうことがないという効果を得る。
【図面の簡単な説明】
【図１】本発明のレンズ鏡筒の実施例を示す組み立て図である。
【図２】本発明のレンズ鏡筒の実施例における組み立て方法を説明する図である。
【図３】本発明のレンズ鏡筒の実施例を示す別の組み立て図である。
【図４】本発明のレンズ鏡筒の実施例を示す部分斜視図である。
【図５】本発明のレンズ鏡筒の実施例における要部を示す平面図である。
【図６】本発明のレンズ鏡筒の別の実施例における要部を示す平面図である。
【図７】本発明のレンズ鏡筒の別の実施例を説明する平面図である。
【図８】本発明のレンズ鏡筒のさらに別の実施例を説明する部分平面図である。
【符号の説明】
１  主鏡筒
１ａ  被写体側壁部
１ｂ  ＣＣＤ側壁部
１ｃ  開口部
１ｄ  ＣＣＤ取り付け部
２  副鏡筒
３  第１の固定レンズ
４  第１の移動レンズ
５  第２の固定レンズ
６  第３の移動レンズ
７Ａ，７Ｂ  第１，第２のガイド軸
８Ａａ，８Ｂａ  第１，第２の保持孔
８Ａｂ，８Ｂｂ  第１，第２の支持孔
８Ａｃ，８Ａｂ  支持部
９  ＣＣＤ
１０  ＣＣＤ基板
１１  凹部（接着剤溜まり）
１４  潤滑剤
１５ａ〜１５ｄ  隙間
３０  （第１の固定レンズ）保持枠
４０  （第１の移動レンズ）保持枠
５０  （第２の固定レンズ）保持枠
６０  （第２の移動レンズ）保持枠
４０Ａ，４０Ｂ  腕部
４０Ａａ，５０Ａａ，６０Ａｂ  長孔（挿通部）
４０Ｂ１ａ，５０Ｂａ，６０Ｂｂ  挿通孔（挿通部）
４０Ａｃ，５０Ａｃ，６０Ａｃ  支持点
４１  治具
４１ａ〜４１ｇ  収納部
４２  ガイド軸ローダ
【図１】
0003883058.tif 000002
【図２】
0003883058.tif 000003
【図３】
0003883058.tif 000004
【図４】
0003883058.tif 000005
【図５】
0003883058.tif 000006
【図６】
0003883058.tif 000007
【図７】
0003883058.tif 000008
【図８】
0003883058.tif 000009